(57)【要約】      （修正有）【課題】本発明の実施例は、光学結像技術の分野に関し、レンズモジュールが開示されている。【解決手段】レンズモジュールは、鏡筒と、鏡筒内に収容されるレンズと、像側からレンズを当接保持する押えリングとを備え、押えリングは、物体側に近い上面１３１と、それに対向して設置された下面１３２と、上面１３１と下面１３２を接続する内接続面１３３と、それに対向する外接続面１３４とを含み、それが鏡筒に当接し、上面１３１は、内接続面１３３の物体側に近い縁から光軸から離れた方向に物体側に向かって延びる第１表面１３１１と、その内接続面１３３から離れた縁から光軸から離れた方向に向かって延びる第２表面１３１２とを含み、第１表面１３１１と第２表面１３１２は前記レンズ上に当接保持される。本発明によって提供されたレンズモジュールは、押えリングの組み立て精度を確保するとともに、レンズモジュールの良品率を向上させることができる。【選択図】図２
2020086444.tif 000002
【特許請求の範囲】
【請求項１】
鏡筒と、前記鏡筒内に収容されかつ光軸を有するレンズと、像側から前記レンズを当接保持する押えリングとを備えるレンズモジュールであって、前記押えリングは、物体側に近い上面と、前記上面に対向して設置された下面と、前記上面と前記下面を接続する内接続面と、前記内接続面に対向する外接続面とを含み、前記外接続面が前記鏡筒に当接し、前記上面は、前記内接続面の物体側に近い縁から前記光軸から離れた方向に物体側に向かって延びる第１表面と、前記第１表面の前記内接続面から離れた縁から前記光軸から離れた方向に向かって延びる第２表面とを含み、前記第１表面と前記第２表面は前記レンズ上に当接保持されることを特徴とするレンズモジュール。
【請求項２】
前記レンズは、光学部と、前記光学部を取り囲んで設置された承接部とを備え、前記承接部は、物体側に近い物体側面と、前記物体側面に対向して設置された像側面と、前記物体側面と前記像側面を接続する周縁面とを含み、前記像側面は、前記周縁面の縁から前記光軸に近い方向に向かって延びる第３表面と、前記第３表面の前記周縁面から離れた縁から前記光軸に近い方向に像側に向かって延びる第４表面と、前記第４表面の前記第３表面から離れた縁から前記光軸に近い方向に向かって延びる第５表面とを含み、前記第２表面は前記第３表面上に当接保持され、前記第１表面は前記第４表面上に当接保持されることを特徴とする請求項１に記載のレンズモジュール。
【請求項３】
前記第２表面と前記第３表面はいずれも前記光軸に垂直であることを特徴とする請求項２に記載のレンズモジュール。
【請求項４】
前記上面は、前記第２表面の前記第１表面から離れた縁から像側に向かって延びる第６表面と、前記第６表面の前記第２表面から離れた縁から前記光軸から離れた方向に向かって延びる第７表面とをさらに含み、前記第７表面は前記第１表面と互いに間隔をあけており、前記第７表面は前記レンズと間隔をあけて設置されており、前記第７表面は前記外接続面に滑らかに過渡的に接続されていることを特徴とする請求項１に記載のレンズモジュール。
【請求項５】
前記押えリングの材質はプラスチックであることを特徴とする請求項１に記載のレンズモジュール。
【請求項６】
前記レンズの物体側に設置された遮光板をさらに備えることを特徴とする請求項１に記載のレンズモジュール。
【請求項７】
前記レンズと前記遮光板の間に遮光シートが設置されていることを特徴とする請求項６に記載のレンズモジュール。
【請求項８】
前記遮光板の物体側に設置されたレンズ群をさらに備え、前記レンズ群は、物体側から像側に向かって順次に積層設置された少なくとも５つのレンズを含み、前記レンズ群は像側から前記鏡筒上に当接保持されることを特徴とする請求項６に記載のレンズモジュール。
【請求項９】
前記内接続面は、前記第１表面から前記光軸に近い方向に像側に向かって延びる第１傾斜面と、前記第１傾斜面と前記下面を接続する第２傾斜面とを含み、前記第２傾斜面は前記第１傾斜面から前記光軸から離れた方向に向かって延びることを特徴とする請求項１に記載のレンズモジュール。
【発明の詳細な説明】
【技術分野】
【０００１】
本発明の実施例は、光学結像技術の分野に関し、特に、レンズモジュールに関する。
【背景技術】
【０００２】
科学技術の絶え間ない発展に伴い、電子機器は絶え間なくスマート化へ発展しつつある。ユーザが随時写真を撮ることができるという需要を満たすように、デジタルカメラの以外、タブレットＰＣ、携帯電話等の携帯型の電子機器にも撮影機能を有するレンズモジュールが配置されている。関連技術のレンズモジュールは、鏡筒と、鏡筒内に収容されたレンズと、像側からレンズを当接保持することによりレンズを固定する押えリングとを備え、押えリングの外径は鏡筒の内径と合わせる。
【０００３】
本発明者は従来技術に少なくとも以下の問題が存在することを発見した：押えリングの外径にバリが存在するため、真円度が悪く、押えリングを組み立てる過程において振れが生じやすくなり、押えリングの組み立て精度が低く、レンズモジュールの良品率が低下してしまう。
【発明の概要】
【発明が解決しようとする課題】
【０００４】
本発明の実施形態は、押えリングの組み立て精度を確保するとともに、レンズモジュールの良品率を向上させることができるレンズモジュールを提供することを目的とする。
【課題を解決するための手段】
【０００５】
上記の技術的問題を解決するために、本発明の実施形態には、鏡筒と、前記鏡筒内に収容されかつ光軸を有するレンズと、像側から前記レンズを当接保持する押えリングとを備え、前記押えリングは、物体側に近い上面と、前記上面に対向して設置された下面と、前記上面と前記下面を接続する内接続面と、前記内接続面に対向する外接続面とを含み、前記外接続面が前記鏡筒に当接し、前記上面は、前記内接続面の物体側に近い縁から前記光軸から離れた方向に物体側に向かって延びる第１表面と、前記第１表面の前記内接続面から離れた縁から前記光軸から離れた方向に向かって延びる第２表面とを含み、前記第１表面と前記第２表面は前記レンズ上に当接保持されるレンズモジュールが提供される。
【０００６】
従来技術に対して、本発明の実施形態は、前記第１表面が前記レンズ上に当接保持され、かつ第１表面が前記内接続面の物体側に近い縁から前記光軸から離れた方向に物体側に向かって延びるため、前記レンズの前記押えリングに対する作用力には、前記光軸に垂直でかつ前記光軸から離れた分量が存在し、それによって押えリングは外径により鏡筒と合わせる必要がなく、押えリングの外径にバリが存在することにより押えリングの組み立てに振れが生じてしまう問題を回避し、押えリングの組み立て精度を確保し、レンズモジュールの良品率を向上させる。
【０００７】
また、前記レンズは、光学部と、前記光学部を取り囲んで設置された承接部とを備え、前記承接部は、物体側に近い物体側面と、前記物体側面に対向して設置された像側面と、前記物体側面と前記像側面を接続する周縁面とを含み、前記像側面は、前記周縁面の縁から前記光軸に近い方向に向かって延びる第３表面と、前記第３表面の前記周縁面から離れた縁から前記光軸に近い方向に像側に向かって延びる第４表面と、前記第４表面の前記第３表面から離れた縁から前記光軸に近い方向に向かって延びる第５表面とを含み、前記第２表面は前記第３表面上に当接保持され、前記第１表面は前記第４表面上に当接保持される。
【０００８】
また、前記第２表面と前記第３表面はいずれも前記光軸に垂直である。
【０００９】
また、前記上面は、前記第２表面の前記第１表面から離れた縁から像側に向かって延びる第６表面と、前記第６表面の前記第２表面から離れた縁から前記光軸から離れた方向に向かって延びる第７表面とをさらに含み、前記第７表面は前記第１表面と互いに間隔をあけており、前記第７表面は前記レンズと間隔をあけて設置されており、前記第７表面は前記外接続面に滑らかに過渡的に接続されている。
【００１０】
また、前記押えリングの材質はプラスチックである。
【００１１】
また、前記レンズの物体側に設置された遮光板をさらに備える。このように設置することで、前記鏡筒に入る迷光を低減することにより、前記鏡筒の結像品質を向上させることができる。
【００１２】
また、前記レンズと前記遮光板の間に遮光シートが設置されている。
【００１３】
また、前記遮光板の物体側に設置されたレンズ群をさらに備え、前記レンズ群は、物体側から像側に向かって順次に積層設置された少なくとも５つのレンズを含み、前記レンズ群は像側から前記鏡筒上に当接保持される。
【００１４】
また、前記内接続面は、前記第１表面から前記光軸に近い方向に像側に向かって延びる第１傾斜面と、前記第１傾斜面と前記下面を接続する第２傾斜面とを含み、前記第２傾斜面は前記第１傾斜面から前記光軸から離れた方向に向かって延びる。
【図面の簡単な説明】
【００１５】
１つまたは複数の実施例をそれらに対応する図面によって例示的に説明する。これら例示的な説明は実施例に対する限定ではない。図面における符号が同様な要素は類似な要素として示されており、特別な声明がない限り、図面は比例上の限定とはならない。
【図１】本発明の第１実施形態によって提供されたレンズモジュールの断面構成模式図である。
【図２】図１におけるＡ部の部分拡大図である。
【発明を実施するための形態】
【００１６】
本発明の実施例の目的、技術案及び利点をより明確にするために、以下、図面を参照しながら本発明の各実施形態を詳細に説明する。しかしながら、当業者が理解できるように、本発明の各実施形態では、読者に本発明をよりよく理解させるために多数の技術的詳細が提出されている。ただし、これらの技術的詳細及び以下の各実施形態に基づく種々の変更と修正がなくても、本発明が保護を求めようとする技術案を実現することができる。
【００１７】
本発明の第１実施形態は、図１〜図２に示されるように、鏡筒１１と、鏡筒１１内に収容されかつ光軸ＯＯ′を有するレンズ１２と、像側からレンズ１２を当接保持する押えリング１３とを備え、押えリング１３は、物体側に近い上面１３１と、上面１３１に対向して設置された下面１３２と、上面１３１と下面１３２を接続する内接続面１３３と、内接続面１３３に対向する外接続面１３４とを含み、外接続面１３４が鏡筒１１に当接し、上面１３１は、内接続面１３３の物体側に近い縁から光軸ＯＯ′から離れた方向に物体側に向かって延びる第１表面１３１１と、第１表面１３１１の内接続面１３３から離れた縁から光軸ＯＯ′から離れた方向に向かって延びる第２表面１３１２とを含み、第１表面１３１１と第２表面１３１２はレンズ１２上に当接保持されるレンズモジュール１００に関する。
【００１８】
従来技術に対して、本発明は、第１表面１３１１がレンズ１２上に当接保持され、かつ第１表面１３１１が内接続面１３３の物体側に近い縁から光軸ＯＯ′から離れた方向に物体側に向かって延びるため、レンズ１２の押えリング１３に対する作用力には、光軸ＯＯ′に垂直でかつ光軸ＯＯ′から離れた分量が存在し、それによって押えリング１３は外径により鏡筒１１と合わせる必要がなく、押えリング１３の外径にバリが存在することにより押えリング１３の組み立てに振れが生じてしまう問題を回避し、押えリング１３の組み立て精度を確保し、レンズモジュール１００の良品率を向上させる。
【００１９】
本実施形態では、押えリング１３の材質はプラスチックである。プラスチックレンズ１２は軽量で、加工されやすく、輸送が便利であり、破裂しにくく、かつ破摧された破片が少なくて比較的に鋭くないため安全性が高い。プラスチックレンズ１２の防曇性が強く、レンズモジュール１００の結像品質を向上させる。プラスチックレンズ１２はへこみを防止することができ、一般的に高熱でかつ体積が小さい物質はガラスレンズにへこみとスポットを生じさせやすくなるが、プラスチックレンズ１２の場合、自動的に弾かれ、レンズ１２の表面に何の跡形も残せず、それによってレンズモジュール１００の使用寿命を向上させる。
【００２０】
具体的には、レンズ１２は、光学部１２１と、光学部１２１を取り囲んで設置された承接部１２２とを備え、承接部１２２は、物体側に近い物体側面１２２１と、物体側面１２２１に対向して設置された像側面１２２２と、物体側面１２２１と像側面１２２２を接続する周縁面１２２３とを含み、像側面１２２２は、周縁面１２２３の縁から光軸ＯＯ′に近い方向に向かって延びる第３表面１２２２ａと、第３表面１２２２ａの周縁面１２２３から離れた縁から光軸ＯＯ′に近い方向に像側に向かって延びる第４表面１２２２ｂと、第４表面１２２２ｂの第３表面１２２２ａから離れた縁から光軸ＯＯ′に近い方向に向かって延びる第５表面１２２２ｃとを含み、第２表面１３１２は第３表面１２２２ａ上に当接保持され、第１表面１３１１は第４表面１２２２ｂ上に当接保持される。
【００２１】
選択できるように、第２表面１３１２と第３表面１２２２ａはいずれも光軸ＯＯ′に垂直である。
【００２２】
上面１３１は、第２表面１３１２の第１表面１３１１から離れた縁から像側に向かって延びる第６表面１３１３と、第６表面１３１３の第２表面１３１２から離れた縁から光軸ＯＯ′から離れた方向に向かって延びる第７表面１３１４とをさらに含み、第７表面１３１４は第１表面１３１１と互いに間隔をあけており、第７表面１３１４はレンズ１２と間隔をあけて設置されており、第７表面１３１４は外接続面１３４に滑らかに過渡的に接続されている。
【００２３】
本実施形態では、レンズモジュール１００は、レンズ１２の物体側に設置された遮光板１４をさらに備え、このように設置することで、鏡筒１１に入る迷光を低減することにより、鏡筒１１の結像品質を向上させることができる。選択できるように、レンズ１２と遮光板１４の間に遮光シート１５が設置されることで、迷光をさらに放出し、レンズモジュール１００の結像品質を向上させる。
【００２４】
本実施形態では、レンズモジュール１００は、遮光板１４の物体側に設置されたレンズ群１６をさらに備え、レンズ群１６は、物体側から像側に向かって順次に積層設置された少なくとも５つのレンズを含み、レンズ群１６は像側から鏡筒１１上に当接保持される。
【００２５】
具体的には、内接続面１３３は、第１表面１３１１から光軸ＯＯ′に近い方向に像側に向かって延びる第１傾斜面１３３１と、第１傾斜面１３３１と下面１３２を接続する第２傾斜面１３３２とを含み、第２傾斜面１３３２は第１傾斜面１３３１から光軸ＯＯ′から離れた方向に向かって延びる。
【００２６】
当業者が理解できるように、上記の各実施形態は、本発明を実現するための具体的な実施例であり、実際の適用において、本発明の主旨及び範囲を逸脱することなく、形式上及び細部上でそれらに対して種々の変更を行うことができる。
【図１】
2020086444.tif 000003
【図２】
2020086444.tif 000004
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
鏡筒と、前記鏡筒内に収容されかつ光軸を有するレンズと、像側から前記レンズを当接保持する押えリングとを備えるレンズモジュールであって、前記押えリングは、物体側に近い上面と、前記上面に対向して設置された下面と、前記上面と前記下面を接続する内接続面と、前記内接続面に対向する外接続面とを含み、前記外接続面が前記鏡筒に当接し、前記上面は、前記内接続面の物体側に近い縁から前記光軸から離れた方向に物体側に向かって延びる第１表面と、前記第１表面の前記内接続面から離れた縁から前記光軸から離れた方向に向かって延びる第２表面とを含み、前記第１表面と前記第２表面は前記レンズ上に当接保持され、
前記レンズは、光学部と、前記光学部を取り囲んで設置された承接部とを備え、前記承接部は、物体側に近い物体側面と、前記物体側面に対向して設置された像側面と、前記物体側面と前記像側面を接続する周縁面とを含み、前記像側面は、前記周縁面の縁から前記光軸に近い方向に向かって延びる第３表面と、前記第３表面の前記周縁面から離れた縁から前記光軸に近い方向に像側に向かって延びる第４表面と、前記第４表面の前記第３表面から離れた縁から前記光軸に近い方向に向かって延びる第５表面とを含み、前記第２表面は前記第３表面上に当接保持され、前記第１表面は前記第４表面上に当接保持されることを特徴とするレンズモジュール。
【請求項２】
前記第２表面と前記第３表面はいずれも前記光軸に垂直であることを特徴とする請求項１に記載のレンズモジュール。
【請求項３】
前記上面は、前記第２表面の前記第１表面から離れた縁から像側に向かって延びる第６表面と、前記第６表面の前記第２表面から離れた縁から前記光軸から離れた方向に向かって延びる第７表面とをさらに含み、前記第７表面は前記第１表面と互いに間隔をあけており、前記第７表面は前記レンズと間隔をあけて設置されており、前記第７表面は前記外接続面に滑らかに過渡的に接続されていることを特徴とする請求項１に記載のレンズモジュール。
【請求項４】
前記押えリングの材質はプラスチックであることを特徴とする請求項１に記載のレンズモジュール。
【請求項５】
前記レンズの物体側に設置された遮光板をさらに備えることを特徴とする請求項１に記載のレンズモジュール。
【請求項６】
前記レンズと前記遮光板の間に遮光シートが設置されていることを特徴とする請求項５に記載のレンズモジュール。
【請求項７】
前記遮光板の物体側に設置されたレンズ群をさらに備え、前記レンズ群は、物体側から像側に向かって順次に積層設置された少なくとも５つのレンズを含み、前記レンズ群は像側から前記鏡筒上に当接保持されることを特徴とする請求項５に記載のレンズモジュール。
【請求項８】
前記内接続面は、前記第１表面から前記光軸に近い方向に像側に向かって延びる第１傾斜面と、前記第１傾斜面と前記下面を接続する第２傾斜面とを含み、前記第２傾斜面は前記第１傾斜面から前記光軸から離れた方向に向かって延びることを特徴とする請求項１に記載のレンズモジュール。